(57)【要約】【課題】透明基板に対して略水平方向の電界を用いて液晶を制御する液晶表示装置、その液晶表示装置が液晶表示部として組み込まれたヘッドアップディスプレイシステムにおいて、縞状の干渉光の発生を抑止する。【解決手段】画素電極２０の表面、その上層に容量絶縁膜２１を介して配置された共通電極２２の線状部２２Ｅの表面には、凹凸が形成されている。この凹凸は、互いに平行に延びる複数の凹部及び凸部からなり、各凹部の幅、各凸部の幅、凹部と凸部の高低差が、不規則性を有して変化している。画素電極２０及び共通電極２２の各線状部２２Ｅの各表面に入射した外光は、これらの凹凸の不規則な角度の表面によって反射されて散乱するため、不規則なパターンで互いに干渉する。これにより、白色光に近い干渉光が現れる。この干渉光は、表示画像と共に運転者に視認されるが、白色光に近いため、表示画像の視認を阻害しない。【選択図】  図４
2009217209.tif 000002
【特許請求の範囲】
【請求項１】
第１の透明基板及び第２の透明基板に挟持された液晶と、
前記第１の透明基板に配置された第１の透明電極と、
前記第１の透明電極を覆う絶縁膜と、
前記絶縁膜上に配置され複数の線状部とスリット部が平行に交互に延びる第２の透明電
極と、を備え、
前記絶縁膜には、前記線状部及び前記スリット部が延びた方向と平行に延びる複数の凹
部及び凸部が設けられ、各凹部の幅、各凸部の幅、及び各凹部と凸部の高低差の少なくと
もいずれかが不規則に配置されていることを特徴する液晶表示装置。
【請求項２】
前記凹部の幅及び又は前記凸部の幅の平均値は、前記第２の透明電極の前記スリット部
の幅以下であることを特徴とする請求項１に記載の液晶表示装置。
【請求項３】
前記凹部と凸部の高低差の平均値は、前記第２の透明電極の前記スリット部の幅に対し
て、６分の１以下であることを特徴とする請求項１又は請求項２に記載の液晶表示装置。
【請求項４】
光源と、前記光源と対向して配置され複数の画素を含む液晶表示部と、前記液晶表示部
の前記光源と対向しない側に配置された光学部材と、前記光学部材を介して前記液晶表示
部の表示画像が投影される画像投影部と、を備えたヘッドアップディスプレイシステムで
あって、
前記液晶表示部は、
第１の透明基板及び第２の透明基板に挟持された液晶と、
前記第１の透明基板に配置された第１の透明電極と、
前記第１の透明電極を覆う絶縁膜と、
前記絶縁膜上に配置され複数の線状部とスリット部が平行に交互に延びる第２の透明電
極と、を備え、
前記絶縁膜には、前記線状部及び前記スリット部が延びた方向と平行に延びる複数の凹
部及び凸部が設けられ、各凹部の幅、各凸部の幅、及び各凹部と凸部の高低差の少なくと
もいずれかが不規則に配置されていることを特徴とするヘッドアップディスプレイシステ
ム。
【請求項５】
前記凹部の幅及び又は前記凸部の幅の平均値は、前記第２の透明電極の前記スリット部
の幅以下であることを特徴とする請求項４に記載のヘッドアップディスプレイシステム。
【請求項６】
前記凹部と前記凸部の高低差の平均値は、前記第２の透明電極の前記スリット部の幅に
対して、６分の１以下であることを特徴とする請求項４又は請求項５に記載のヘッドアッ
プディスプレイシステム。
【発明の詳細な説明】
【技術分野】
【０００１】
本発明は、液晶表示装置に関し、特に、透明基板に対して略水平方向の電界を用いて液
晶を制御する液晶表示装置、その液晶表示装置が液晶表示部として組み込まれたヘッドア
ップディスプレイシステムに関する。
【背景技術】
【０００２】
高いコントラスト及び広視野角が得られる液晶表示装置として、透明基板に対して略水
平方向の電界を用いた液晶表示装置、即ち、ＦＦＳ（Fringe-Field Switching）モードや
ＩＰＳ（In-Plain Switching）モード等により動作する液晶表示装置が知られている。
【０００３】
この液晶表示装置では、液晶を挟持する２つの透明基板のうち、一方の透明基板上に、
表示信号が印加される画素電極、及び共通電位が印加される共通電極の両者が形成される
。画素電極あるいは共通電極のいずれか一方は、互いに平行に交互に延びる複数の線状部
及びスリット部を有している。
【０００４】
また、このような高いコントラスト及び広視野角が得られる液晶表示装置が、自動車に
搭載される表示システムに、その液晶表示部として組み込まれる例として、例えばヘッド
アップディスプレイ（Head-Up Display）システムが知られている。以降、ヘッドアップ
ディスプレイシステムをＨＵＤシステムと略称する。
【０００５】
ＨＵＤシステムでは、その液晶表示部、即ち液晶表示装置の表示画像が、フロントガラ
ス等のウィンドシールドガラスを介して、運転者の視界に重なって表示される。実際には
、運転者は、ウィンドシールドガラスまでの光路長に応じて、ウィンドシールドガラスの
外側に離れて現れる表示画像の虚像を視認する。これにより、運転者は、焦点を合わせな
おす動作を小さくすることができる。
【０００６】
ＨＵＤシステムは、基本構成として、バックライト等の光源、透過型の液晶表示部と、
フロントガラス等のウィンドシールドガラス、液晶表示部の表示画像をウィンドシールド
ガラスに反射させる凹面鏡等の光学部材を含む。
【０００７】
なお、透明基板に対して略水平方向の電界を用いて液晶を制御する液晶表示装置に関し
ては、例えば特許文献１に記載されている。また、液晶表示装置が組み込まれたＨＵＤシ
ステムに関しては、例えば特許文献２に記載されている。
【特許文献１】特開２００２−２９６６１１号公報
【特許文献２】特開２００７−５２３８３号公報
【発明の開示】
【発明が解決しようとする課題】
【０００８】
上述したように、透明基板に対して略水平方向の電界を用いる液晶表示装置が、液晶表
示部としてＨＵＤシステムに組み込まれた場合、液晶表示部には、ウィンドシールドガラ
ス及び光学部材を介して、太陽光等の強い外光が入射しやすくなる。このような液晶表示
部へ入射した外光は、画素電極あるいは共通電極で反射する。
【０００９】
例として、図６に示すように、画素電極１２０上に、容量絶縁膜１２１を介して、複数
の線状部１２２Ｅ及びスリット部１２２Ｓを交互に有した共通電極が配置された場合を考
える。この場合、共通電極の各線状部１２２Ｅで反射された反射光は、互いに干渉を起こ
すことにより、一定パターンの縞状の干渉光となる。同様に、各スリット部１２２Ｓを通
して画素電極１２０に入射して反射した光も互いに干渉を起こし、干渉光となる。これら
の縞状の干渉光は、共通電極の線状部１２２Ｅ及びスリット部１２２Ｓの長手方向に対し
て略直交する方向に延びて、表示画像の略中央の領域に現れる。これにより、干渉光が再
び光学部材及びウィンドシールドガラスを介して運転者の視界に重なって表示され、表示
画像の視認が阻害されるという問題が生じていた。
【課題を解決するための手段】
【００１０】
本発明の液晶表示装置は、第１の透明基板及び第２の透明基板に挟持された液晶と、第
１の透明基板に配置された第１の透明電極と、第１の透明電極を覆う絶縁膜と、絶縁膜上
に配置され複数の線状部とスリット部が平行に交互に延びる第２の透明電極と、を備え、
前記絶縁膜には、前記線状部及び前記スリット部が延びた方向と平行に延びる複数の凹部
及び凸部が設けられ、各凹部の幅、各凸部の幅、及び各凹部と凸部の高低差の少なくとも
いずれかが不規則に配置されていることを特徴する。
【００１１】
また、本発明のヘッドアップディスプレイシステムは、光源と、光源と対向して配置さ
れ複数の画素を含む液晶表示部と、液晶表示部の光源と対向しない側に配置された光学部
材と、光学部材を介して液晶表示部の表示画像が投影される画像投影部と、を備えたヘッ
ドアップディスプレイシステムであって、液晶表示部は、第１の透明基板及び第２の透明
基板に挟持された液晶と、第１の透明基板に配置された第１の透明電極と、第１の透明電
極を覆う絶縁膜と、絶縁膜上に配置され複数の線状部とスリット部が平行に交互に延びる
第２の透明電極と、を備え、前記絶縁膜には、前記線状部及び前記スリット部が延びた方
向と平行に延びる複数の凹部及び凸部が設けられ、各凹部の幅、各凸部の幅、及び各凹部
と凸部の高低差の少なくともいずれかが不規則に配置されていることを特徴する。
【００１２】
また、本発明の液晶表示装置又はヘッドアップディスプレイシステムは、上記構成にお
いて、凹部の幅及び又は凸部の幅の平均値は、第２の透明電極のスリット部の幅に対して
、その幅以下であることを特徴とする。また、凹部と凸部の高低差の平均値は、第２の透
明電極のスリット部の幅に対して、６分の１以下であることを特徴とする。
【発明の効果】
【００１３】
本発明によれば、透明基板に対して略水平方向の電界を用いて液晶を制御する液晶表示
装置、その液晶表示装置が液晶表示部として組み込まれたヘッドアップディスプレイシス
テムにおいて、運転者に対して表示画像の視認を阻害する縞状の干渉光の発生を抑止する
ことができる。
【発明を実施するための最良の形態】
【００１４】
以下に、本発明の実施形態によるヘッドアップディスプレイ（Head-Up Display）シス
テムの構成について説明する。なお、以降の説明では、ヘッドアップディスプレイシステ
ムを、ＨＵＤシステムと略称する。図１は、本実施形態によるＨＵＤシステムを示すシス
テム構成図である。
【００１５】
このＨＵＤシステムは、自動車に搭載されるものであり、図１に示すように、自動車の
運転席近傍、例えばダッシュボード等に搭載された表示装置１、自動車の運転席近傍に装
着されたフロントガラス等のウィンドシールドガラス２からなる。ウィンドシールドガラ
ス２は、運転者の視界に含まれる位置に配置されている。ウィンドシールドガラス２は、
本発明の画像投影部の一例である。
【００１６】
表示装置１は、開口部１Ａを有した筐体１Ｃ内において、液晶表示部１Ｌ、バックライ
ト等の光源ＢＬ、液晶表示部１Ｌの光出射方向に配置された凹面鏡等の光学部材１Ｍを含
む。なお、光学部材１Ｍは、液晶表示部１Ｌの表示光、即ち表示画像をウィンドシールド
ガラス２へ投影するものであれば、凹面鏡に限定されず、平面ミラー、凸レンズ、プリズ
ム等を含むものであってもよい。
【００１７】
このＨＵＤシステムの基本的な動作を説明すると、液晶表示部１Ｌから出射された光、
即ち表示画像は、光学部材１Ｍによって反射され、開口部１Ａを通して、ウィンドシール
ドガラス２に投影される。これにより、ウィンドシールドガラス２を介して表示画像が運
転者の視界に重なって表示される。実際には、運転者は、ウィンドシールドガラス２まで
の光路長に応じて、ウィンドシールドガラス２の外側に離れて現れる表示画像の虚像ＩＭ
Ｇを視認する。これにより、運転者は、焦点を合わせなおす動作を小さくすることができ
る。
【００１８】
以下に、ＨＵＤシステムの表示装置１に含まれる液晶表示部１Ｌについて、図面を参照
して説明する。図２は、図１の液晶表示部１Ｌに形成される複数の画素ＰＸＬの中から、
３つの画素ＰＸＬのみを拡大して示した平面図であり、ＦＦＳモードにより動作する構成
を示している。図２では、説明の便宜上、主要な構成要素のみを簡略化して図示している
。図２の上下方向と左右方向は、それぞれ、液晶表示部１Ｌの表示面の上下方向（即ち図
１のＺ方向）と左右方向（即ち図１の紙面の法線方向）に対応している。また、図３は、
図２に示した複数の画素ＰＸＬのうち、１つの画素ＰＸＬについての断面図である。
【００１９】
図２に示すように、この液晶表示部１Ｌには、ゲート信号、即ち画素選択信号が供給さ
れるゲート線１３と、ソース信号、即ち表示信号が供給されるソース線１６Ｓの交差点に
対応して、各画素ＰＸＬが配置されている。各画素ＰＸＬには、薄膜トランジスタ等の画
素トランジスタＴＲが配置されている。
【００２０】
さらに詳しく説明すると、図２及び図３に示すように、各画素ＰＸＬの第１の透明基板
１０上には、画素トランジスタＴＲが形成される領域に、能動層１１が配置されている。
また、第１の透明基板１０上には、能動層１１を覆ってゲート絶縁膜１２が配置されてい
る。
【００２１】
ゲート絶縁膜１２上には、能動層１１と重畳してゲート線１３が配置され、また、図示
しないが、例えば画素ＰＸＬの外側において、共通電位が供給される共通電位線が配置さ
れる。さらにゲート絶縁膜１２上には、ゲート線１３及び共通電位線を覆って、層間絶縁
膜１５が配置されている。また、層間絶縁膜１５上には、コンタクトホールＨ１を通して
能動層１１のソースと接続されるソース線１６Ｓが配置され、コンタクトホールＨ２を通
して能動層１１のドレインと接続されるドレイン電極１６Ｄが配置されている。
【００２２】
ソース線１６Ｓ及びドレイン電極１６Ｄは、例えば、チタン、アルミニウム、チタンが
この順で形成された積層体である。層間絶縁膜１５上には、ソース線１６Ｓ及びドレイン
電極１６Ｄを覆って、シリコン窒化膜等からなるパッシベーション膜１７が配置されてい
る。パッシベーション膜１７には、ドレイン電極１６Ｄと重畳してコンタクトホールＨ３
が設けられている。
【００２３】
パッシベーション膜１７は、塗布酸化膜やレジスト層等からなる絶縁膜１８に覆われて
いる。絶縁膜１８には、ドレイン電極１６Ｄと重畳してコンタクトホールＨ４が設けられ
ている。この絶縁膜１８は、その表面に、凹凸（不図示）を有している。この凹凸は、互
いに平行に延びる複数の凹部及び凸部からなり、各凹部の幅、各凸部の幅、各凹部と凸部
の高低差が、それぞれ、不規則になるように配置されている。なお、不規則になるように
配置されているとは、必ずしも完全に不規則である必要は無く、一定の度合いで不規則に
なるように配置されている場合を含むものとする。また、各凹部の幅、各凸部の幅、各凹
部と凸部の高低差のすべてが不規則になるように配置されている必要はなく、いずれかが
不規則に配置されていればよい。また、この絶縁膜１８の凹凸は、例えば、絶縁膜１８が
感光性樹脂の場合、塗布後に上面を、露光マスクを通して露光し現像することにより形成
される。
【００２４】
絶縁膜１８上には、コンタクトホールＨ３，Ｈ４を通してドレイン電極１６Ｄと接続さ
れた画素電極２０が配置されている。画素電極２０は、ＩＴＯ（Indium Tin Oxide）やＩ
ＺＯ（Indium Zinc Oxide）等の透明導電材料からなり、その膜厚は、例えば１００ｎｍ
程度である。
【００２５】
画素電極２０は、その表面に、絶縁膜１８の凹凸（不図示）を反映して、凹凸（不図示
）を有している。即ち、この凹凸は、互いに平行に延びる複数の凹部及び凸部からなり、
各凹部の幅、各凸部の幅、各凹部と凸部の高低差が、それぞれ、不規則になるように配置
されている。画素電極２０は、本発明の第１の透明電極の一例である。
【００２６】
また、絶縁膜１８上には、シリコン窒化膜等からなり、画素電極２０を覆う容量絶縁膜
２１が配置されている。容量絶縁膜２１は、その表面に、画素電極２０の凹凸（不図示）
を反映して、凹凸（不図示）を有している。即ち、この凹凸は、互いに平行に延びる複数
の凹部及び凸部からなり、各凹部の幅、各凸部の幅、各凹部と凸部の高低差が、それぞれ
、不規則性を有して変化している。容量絶縁膜２１は、本発明の絶縁膜の一例である。
【００２７】
容量絶縁膜２１上には、複数の線状部２２Ｅ及びスリット部２２Ｓが互いに平行に交互
に延びる共通電極２２が配置されている。複数の線状部２２Ｅ及びスリット部２２Ｓが延
びる方向、即ち線状部２２Ｅ及びスリット部２２Ｓの長手方向は、例えば、概ね、液晶表
示部１Ｌの上下方向（即ちソース線１６Ｓに略沿った方向）に沿っており、絶縁膜１８、
画素電極２０、容量絶縁膜２１の各表面において、凹部及び凸部が延びる方向、即ち凹部
及び凸部の長手方向と平行である。共通電極２２は、ＩＴＯやＩＺＯ等の透明導電材料か
らなり、その膜厚は例えば１００ｎｍ程度である。図の例では、複数の線状部２２Ｅ及び
スリット部２２Ｓの長手方向は、液晶表示部１Ｌの上下方向に対して、約５〜１０°傾斜
している。
【００２８】
共通電極２２の線状部２２Ｅは、その表面に、容量絶縁膜２１の凹凸（不図示）を反映
して、凹凸（不図示）を有している。即ち、この凹凸は、交互に平行に延びる複数の凹部
及び凸部からなり、各凹部の幅、各凸部の幅、各凹部と凸部の高低差が、それぞれ、不規
則性を有して変化している。線状部２２Ｅの表面において、凹部及び凸部が延びる方向、
即ち凹部及び凸部の長手方向は、線状部２２Ｅ及びスリット部２２Ｓが延びる方向、即ち
線状部２２Ｅ及びスリット部２２Ｓの長手方向と平行である。この共通電極２２は、本発
明の第２の透明電極の一例である。なお、図２では、説明の便宜上、線状部２２Ｅ及びス
リット部２２Ｓの数を、実際よりも少なくして図示している。図３についても同様である
。
【００２９】
また、容量絶縁膜２１上には、共通電極２２の線状部２２Ｅ及びスリット部２２Ｓを覆
う第１の配向膜２３が配置されている。第１の配向膜２３のラビング方向は、共通電極２
２の線状部２２Ｅの長手方向に対して、平面的に例えば約５〜１０°傾いている。なお、
画素電極２０、容量絶縁膜２１、共通電極２２の線状部２２Ｅは、画素電極２０に印加さ
れた表示信号を一定期間保持する保持容量を構成している。
【００３０】
上記構成の第１の透明基板１０に対して、第２の透明基板３０が貼り合わされ、それら
の間に、正の誘電率異方性を有したネマティック液晶等の液晶ＬＣが封止されている。第
２の透明基板３０には、第１の透明基板１０と対向する側に、ブラックマトリクス（不図
示）、カラーフィルタ３１、及びそれを覆う第２の配向膜３２が配置されている。第２の
配向膜３２のラビング方向は、第１の配向膜２３のラビング方向に対して平行である。
【００３１】
また、第１の透明基板には、光源ＢＬと対向する側に、第１の偏光板ＰＬ１が形成され
ている。第１の偏光板ＰＬ１の透過軸は、第１の配向膜２３のラビング方向に対して平行
である。また、第２の透明基板３０には、第１の透明基板１０と対向しない側に、第２の
偏光板ＰＬ２が形成されている。第２の偏光板ＰＬ２の透過軸は、第１の偏光板ＰＬ１の
透過軸に対して直交する。
【００３２】
上記構成の液晶表示部１Ｌの表示にかかる動作を説明すると、画素ＰＸＬでは、ゲート
線１３から供給された画素選択信号に応じて、画素トランジスタＴＲがオンし、ソース線
１６Ｓ及び画素トランジスタＴＲを通して表示信号が画素電極２０に供給される。このと
き、画素電極２０と共通電極２２の線状部２２Ｅとの間では、表示信号に応じて、第１の
透明基板１０の略水平方向に沿って電界が生じ、その電界に応じて液晶（不図示）の配向
方向が変化することにより、表示にかかる光学的制御が行われる。なお、各画素ＰＸＬか
ら出射された表示光は、表示画像となって、凹面鏡等の光学部材１Ｍによって反射され、
ウィンドシールドガラス２へ投影される。
【００３３】
また、この液晶表示部１Ｌには、ウィンドシールドガラス２及び凹面鏡等の光学部材１
Ｍを介して、太陽光等の外光が入射する。この外光は、画素電極２０の表面、あるいは共
通電極２２の線状部２２Ｅの表面によって反射される。この外光の反射について、以下に
図面を参照して説明する。図４は、図３の画素電極２０及び共通電極２２の近傍を示す部
分拡大図である。
【００３４】
図４に示すように、共通電極２２の線状部２２Ｅ上に入射した外光は、線状部２２Ｅの
各凹部の表面、及び各凸部の表面によって反射される。ここで、各凹部及び各凸部は、そ
の幅と高低差について、不規則性を有して変化しているため、不規則に異なる角度の表面
を有している。
【００３５】
この構成によって、各線状部２２Ｅの表面に入射した外光は、各線状部２２Ｅの凹部及
び凸部の不規則な角度の表面によって反射されて散乱するため、不規則なパターンで互い
に干渉する。これにより、白色光に近い干渉光が現れる。この干渉光は、表示画像と共に
運転者に視認されるが、図６の従来例のような一定のパターンの縞状の干渉光ではなく、
白色光に近いため、表示画像の視認を阻害しない。スリット部２２Ｓを通して画素電極２
０の表面で反射される外光についても、上記と同様に、白色光に近い干渉光となるため、
運転者に対して表示画像の視認を阻害しない。
【００３６】
上記効果を確実に得るための構成として、上述した画素電極２０及び共通電極２２の線
状部２２Ｅの各表面において、その凹部の幅Ｗ１、凸部の幅Ｗ２の平均値は、共通電極２
２のスリット部２２Ｓの幅Ｗ３に対して、その幅以下、好ましくは、２μｍ〜３μｍであ
る。また、画素電極２０及び共通電極２２の線状部２２Ｅの各表面において、その凹部と
凸部の高低差の平均値は、共通電極２２のスリット部２２Ｓの幅Ｗ３に対して、約６分の
１以下、好ましくは、４００〜５００ｎｍ以下である。
【００３７】
なお、上記実施形態では、図５に示すように、共通電極２２の線状部２２Ｅ及びスリッ
ト部２２Ｓが延びる方向、即ち線状部２２Ｅ及びスリット部２２Ｓの長手方向は、概ね、
液晶表示部１Ｌの左右方向（即ちゲート線１３に略沿った方向）に沿うものであってもよ
い。図の例では、線状部２２Ｅ及びスリット部２２Ｓの長手方向は、液晶表示部１Ｌの左
右方向に対して、約５〜１０°傾斜している。
【００３８】
この場合においても、画素電極２０と共通電極２２の線状部２２Ｅの各表面において、
凹部及び凸部の長手方向は、共通電極２２の線状部２２Ｅ及びスリット部２２Ｓの長手方
向と平行である。なお、図５では、共通電極２２以外の構成については図２に示した平面
構成と同様である。
【００３９】
さらに、上記実施形態では、より確実に、運転者に対する表示画像の視認性を高める方
法として、液晶表示部１Ｌに入射した外光が第２の透明基板３０の表面で反射されて光学
部材１Ｍを介してウィンドシールドガラス２に投影されることを避けるべく、液晶表示部
１Ｌの配置角度が調整されてもよい。
【００４０】
この場合、液晶表示部１Ｌの光出射方向は凹面鏡等の光学部材１Ｍに向かうが、液晶表
示部１Ｌの表示面の法線方向は、上記光出射方向に対して、上下方向（即ち図１のＺ方向
）、又は左右方向（即ち図１の紙面の法線方向）に、例えば約１５°傾斜する。これによ
り、表示画像が、凹面鏡等の光学部材１Ｍを介してウィンドシールドガラス２に投影され
る一方で、第２の透明基板３０の表面で反射した外光は、凹面鏡等の光学部材１Ｍから逸
れるため、ウィンドシールドガラス２に投影されにくくなる。
【００４１】
これと同時に、外光が画素電極２０及び共通電極２２の線状部２２Ｅの各表面で反射さ
れてなる干渉光は、進行方向に沿って広がるため、干渉光の多くの光成分が、凹面鏡等の
光学部材１Ｍを介してウィンドシールドガラス２に投影される。しかし、ウィンドシール
ドガラス２に投影される干渉光は、上述したように白色光に近くなるため、運転者に対し
て表示画像の視認を阻害しない。
【００４２】
なお、本発明は、上記実施形態に限定されず、第１の透明電極として共通電極を形成し
、第２の透明電極として画素電極を形成した場合についても適用される。即ち、絶縁膜１
８上に、画素電極２０と同じ形状を有した共通電極が形成され、その上層に、容量絶縁膜
２１を介して、共通電極２２と同様に複数の線状部とスリット部を有した画素電極が形成
されてもよい。この場合、共通電極、容量絶縁膜２１、画素電極の線状部の各表面には、
上記と同様に、不規則性を有して変化する形状の凹凸が形成される。この場合においても
上記と同様の効果を得ることができる。
【００４３】
また、本発明は、上記実施形態の液晶表示部１Ｌが上記ＨＵＤシステムに組み込まれず
に単独で動作する液晶表示装置である場合についても適用され、また、液晶表示部１Ｌが
他の装置に組み込まれる液晶表示装置である場合についても適用される。
【図面の簡単な説明】
【００４４】
【図１】本発明の実施形態によるヘッドアップディスプレイシステムを示すシステム構成図である。
【図２】図１の液晶表示部を示す平面図である。
【図３】図１の液晶表示部を示す断面図である。
【図４】図３の画素電極及び共通電極の近傍を示す部分拡大図である。
【図５】図１の液晶表示部を示す平面図である。
【図６】従来例による液晶表示装置を示す断面図である。
【符号の説明】
【００４５】
１  表示装置                      １Ｃ  筐体
１Ａ  開口部                      １Ｌ  液晶表示部
１Ｍ  光学部材                    ２  ウィンドシールドガラス
１０  第１の透明基板              １１  能動層
１２  ゲート絶縁膜                １３  ゲート線
１５    層間絶縁膜                １６Ｓ  ソース線
１６Ｄ  ドレイン電極              １７  パッシベーション膜
１８  絶縁膜                      ２０  画素電極
２１  容量絶縁膜                  ２２  共通電極
２２Ｅ  線状部                    ２２Ｓ  スリット部
２３  第１の配向膜                ３０  第２の透明基板
３１  カラーフィルタ              ３２  第２の配向膜
ＰＬ１  第１の偏光板              ＰＬ２  第２の偏光板
ＢＬ  光源                        ＴＲ  画素トランジスタ
ＬＣ  液晶                        ＰＸＬ  画素
Ｈ１，Ｈ２，Ｈ３，Ｈ４  コンタクトホール
【図１】
2009217209.tif 000003
【図２】
2009217209.tif 000004
【図３】
2009217209.tif 000005
【図４】
2009217209.tif 000006
【図５】
2009217209.tif 000007
【図６】
2009217209.tif 000008